(57)【要約】【課題】ある表示装置上で表示・操作された結果としての表示内容を、他の表示装置に転送してその転送先で同じ表示内容を容易に再現できるようにする。【解決手段】第１の表示装置Ａにおいては、表示・操作された結果として得られた機能表示画面の表示内容を示す表示内容情報２００を、抽出手段１１０により抽出し、伝送手段１２０により第２の表示装置Ｂに転送する。第２の表示装置Ｂにおいては、第１の表示装置Ａから転送された表示内容情報２００を伝送手段１２０により受信し、再現手段１３０とデータ処理手段２０により、表示内容情報２００によって示される表示内容の機能表示画面を表示部３０上で再現表示する。第２の表示装置Ｂのデータ処理手段２０は、再現表示した機能表示画面の画面制御情報３や表示データ２、表示内容情報２００中の非表示情報２００３等を用いて、機能表示画面の表示・操作を独立して実施する。【選択図】  図１
2004280508.tif 000002
【特許請求の範囲】
【請求項１】
プラントを監視するための複数の機能表示画面を同時に表示するマルチウインドウ機能を有する複数の表示装置を備えたプラント監視用表示システムにおいて、
前記複数の表示装置中における第１の表示装置上で表示・操作された結果として得られた機能表示画面の表示内容を示す表示内容情報を抽出し、抽出された表示内容情報を第２の表示装置に転送する転送手段と、
前記転送された表示内容情報によって示される表示内容の前記機能表示画面を前記第２の表示装置上に再現表示する制御手段と、
を備えたことを特徴とするプラント監視用表示システム。
【請求項２】
前記表示内容情報は、それによって示される表示内容の前記機能表示画面の表示・操作時に利用または取得された非表示の各種データを示す非表示情報を含み、
前記制御手段は、前記転送された表示内容情報によって示される表示内容の前記機能表示画面を前記第２の表示装置上で再現表示した後、再現表示された機能表示画面の表示・操作を、前記非表示情報を利用して第２の表示装置上で前記第１の表示装置から独立して実施するように構成された、
ことを特徴とする請求項１に記載のプラント監視用表示システム。
【請求項３】
前記転送手段は、前記第１の表示装置上で表示・操作された複数の機能表示画面の表示内容を示す複数の表示内容情報を一括して抽出し、抽出された複数の表示内容情報を一括して転送するように構成された、
ことを特徴とする請求項２に記載のプラント監視用表示システム。
【請求項４】
前記転送手段は、操作権限のある表示装置以外では操作できない機能表示画面の表示内容情報に対して操作権限情報を付加し、操作権限情報付きの表示内容情報を転送するように構成された、
ことを特徴とする請求項２または請求項３に記載のプラント監視用表示システム。
【請求項５】
前記転送手段は、前記表示内容情報に対して前記第１の表示装置上でオペレータから与えられた説明情報を付加し、説明情報付きの表示内容情報を転送するように構成された、
ことを特徴とする請求項２乃至請求項４のいずれかに記載のプラント監視用表示システム。
【請求項６】
前記転送手段は、前記機能表示画面の表示・操作に必要な全ての情報を転送するように構成された、
ことを特徴とする請求項２乃至請求項５のいずれかに記載のプラント監視用表示システム。
【請求項７】
前記転送手段は、前記表示内容情報を転送する際の送信記録を履歴データとして保存するように構成された、
ことを特徴とする請求項２乃至請求項６のいずれかに記載のプラント監視用表示システム。
【請求項８】
前記転送手段は、前記表示内容情報を転送した場合に、前記第２の表示装置上での当該表示内容情報による前記機能表示画面の表示・操作状況をモニタするように構成された、
ことを特徴とする請求項２乃至請求項７のいずれかに記載のプラント監視用表示システム。
【請求項９】
前記制御手段は、前記第１の表示装置上において表示されている前記機能表示画面を示す画像要素を前記第２の表示装置上で表示し、画像要素が選択された場合にその選択された画像要素により示される実際の機能表示画面の表示内容情報を第１の表示装置から取得してその機能表示画面を再現表示するように構成された、
ことを特徴とする請求項１乃至請求項８のいずれかに記載のプラント監視用表示システム。
【請求項１０】
前記画像要素は、前記第１の表示装置上における実際の表示状態を簡略化して具体的に示す概略表示であり、
前記制御手段は、前記画像要素により示される実際の表示状態の変化に応じて画像要素をリアルタイムに更新するように構成された、
ことを特徴とする請求項９に記載のプラント監視用表示システム。
【請求項１１】
前記画像要素により示される実際の機能表示画面の表示内容情報は、それによって示される表示内容の前記機能表示画面の表示・操作時に利用または取得された非表示の各種データを示す非表示情報を含み、
前記制御手段は、前記第２の表示装置上で前記選択された画像要素に対応する前記実際の機能表示画面を再現表示した後、再現表示された機能表示画面の表示・操作を、前記非表示情報を利用して第２の表示装置上で前記第１の表示装置から独立して実施するように構成された、
ことを特徴とする請求項９または請求項１０に記載のプラント監視用表示システム。
【請求項１２】
前記転送手段は、前記第１の表示装置上における特定の機能表示画面を呼び出すために予め用意された特定の情報を前記第２の表示装置から受信した場合に、当該機能表示画面の表示・操作に必要な全ての情報を第２の表示装置に送信するように構成され、
前記制御手段は、前記第１の表示装置から前記機能表示画面の表示・操作に必要な全ての情報を受信した場合に、当該機能表示画面を再現表示し、再現表示された機能表示画面の表示・操作を、前記受信した情報を利用して前記第２の表示装置上で第１の表示装置から独立して実施するように構成された、
ことを特徴とする請求項１乃至請求項１１のいずれかに記載のプラント監視用表示システム。
【請求項１３】
前記転送手段は、前記第１の表示装置上で表示・操作された結果として得られた前記機能表示画面の表示内容を示す表示内容情報を連続的に抽出し、抽出された表示内容情報を前記第２の表示装置に連続的に転送するように構成され、
前記制御手段は、前記連続的に転送される表示内容情報によって示される表示内容の前記機能表示画面を前記第２の表示装置上で連続的にモニタ表示するように構成された、
ことを特徴とする請求項１乃至請求項１２のいずれかに記載のプラント監視用表示システム。
【請求項１４】
前記転送手段は、前記第１の表示装置上の機能表示画面に対する転送要求を前記第２の表示装置から受信した場合に、当該機能表示画面の表示内容を示す表示内容情報を第２の表示装置に連続的に転送するように構成された、
ことを特徴とする請求項１３に記載のプラント監視用表示システム。
【請求項１５】
前記第１の表示装置上における機能表示画面の表示内容情報を前記第２の表示装置に連続的に転送し、第２の表示装置上でリアルタイムに連動表示する場合に、第１と第２の表示装置のそれぞれに、「当該機能表示画面が連動表示中であること」および「自表示装置が当該機能表示画面の操作主体側とモニタ表示側のいずれであるか」を示す画像要素を表示する連動状態表示手段、
を備えたことを特徴とする請求項１３または請求項１４に記載のプラント監視用表示システム。
【請求項１６】
前記第１の表示装置上における機能表示画面の表示内容情報を前記第２の表示装置に連続的に転送し、第２の表示装置上でリアルタイムに連動表示する場合に、第１と第２の表示装置の当該機能表示画面上で装置間のメッセージのやり取りを実現するメッセージ手段、
を備えたことを特徴とする請求項１３乃至請求項１５のいずれかに記載のプラント監視用表示システム。
【請求項１７】
前記第１の表示装置から前記第２の表示装置に転送される表示内容情報は、それによって示される表示内容の前記機能表示画面の表示要求を含む、
ことを特徴とする請求項１乃至請求項１６のいずれかに記載のプラント監視用表示システム。
【請求項１８】
プラントを監視するための複数の機能表示画面を同時に表示するマルチウインドウ機能を有する複数の表示装置を用いたプラント監視用表示方法において、
前記複数の表示装置中における第１の表示装置上で表示・操作された結果として得られた機能表示画面の表示内容を示す表示内容情報を抽出し、抽出された表示内容情報を第２の表示装置に転送する転送ステップと、
前記転送された表示内容情報によって示される表示内容の前記機能表示画面を前記第２の表示装置上に再現表示する制御ステップと、
を有することを特徴とするプラント監視用表示方法。
【請求項１９】
前記表示内容情報は、それによって示される表示内容の前記機能表示画面の表示・操作時に利用または取得された非表示の各種データを示す非表示情報を含み、
前記制御ステップは、
前記転送された表示内容情報によって示される表示内容の前記機能表示画面を前記第２の表示装置上で再現するステップと、
再現された機能表示画面の表示・操作を、前記非表示情報を利用して第２の表示装置上で前記第１の表示装置から独立して実施するステップとを含む、
ことを特徴とする請求項１８に記載のプラント監視用表示方法。
【請求項２０】
前記制御ステップは、
前記第１の表示装置上の前記機能表示画面を示す画像要素を前記第２の表示装置上で表示するステップと、
前記画像要素が選択された場合にその選択された画像要素により示される実際の機能表示画面の表示内容情報を第１の表示装置から取得してその機能表示画面を再現表示するステップとを含む、
ことを特徴とする請求項１８または請求項１９に記載のプラント監視用表示方法。
【請求項２１】
前記転送ステップは、
前記第１の表示装置上における特定の機能表示画面を呼び出すために予め用意された特定の情報を前記第２の表示装置から受信した場合に、当該機能表示画面の表示・操作に必要な全ての情報を第２の表示装置に送信するステップを含み、
前記制御ステップは、
前記第１の表示装置から前記機能表示画面の表示・操作に必要な全ての情報を受信した場合に、当該機能表示画面を再現表示するステップと、
再現表示された機能表示画面の表示・操作を、前記全ての情報を利用して前記第２の表示装置上で第１の表示装置から独立して実施するステップを含む、
ことを特徴とする請求項１８乃至請求項２０のいずれかに記載のプラント監視用表示方法。
【請求項２２】
前記転送ステップは、
前記第１の表示装置上で表示・操作された結果として得られた前記機能表示画面の表示内容を示す表示内容情報を連続的に抽出し、抽出された表示内容情報を前記第２の表示装置に連続的に転送するステップを含み、
前記制御ステップは、
前記連続的に転送される表示内容情報によって示される表示内容の前記機能表示画面を前記第２の表示装置上で連続的にモニタ表示するステップを含む、
ことを特徴とする請求項１８乃至請求項２１のいずれかに記載のプラント監視用表示方法。
【発明の詳細な説明】
【０００１】
【発明の属する技術分野】
本発明は、発電所等のプラントを監視するためのプラント監視装置に関するものであり、特に、プラントを監視するための複数の機能表示画面を同時に表示するマルチウインドウ機能を有する複数の表示装置を備えたプラント監視用表示システムとその方法に関する。
【０００２】
【従来の技術】
一般に、プラントを監視するための複数の機能表示画面を同時に表示するマルチウインドウ機能を有する表示装置では、オペレータの要求により所望の機能表示画面を呼び出すことができる。このような表示装置では、接触入力用の接触センサや圧力センサを設けたディスプレイを利用して、画面上に表示した系統図の機器シンボル等の画像要素に接触するだけで機器番号等の所定の情報を自動的に入力できるようにする等、オペレータの作業効率を向上するための各種の工夫がなされている（例えば、特許文献１参照）。
【０００３】
ところで、上記のような従来のプラント監視用の表示装置は、通常の場合、各オペレータ用の表示装置に加えて、管理者や統括責任者用の表示装置等、多数の表示装置が使用される場合が多い。図１８は、複数の表示装置を備えた従来のプラント監視用表示システムの一例を示すブロック図である。
【０００４】
この図１８に示すように、各表示装置Ａ，Ｂは、いずれも、データ記録手段１０、データ処理手段２０、表示部３０、入力部４０を備えた同一の構成とされており、具体的には、マルチウインドウ機能を有するオペレーションシステムを備えたコンピュータシステムとして構成される。
【０００５】
ここで、データ記録手段１０は、監視対象のプラントから得られる各種測定値等のプラント情報１を定常的に入力して表示データ２として記録する手段である。また、データ処理手段２０は、表示データ２を画像化し、画面制御情報３との合成により機能表示画面１０１〜１０３を生成すると共に、表示された機能表示画面１０１〜１０３に対するオペレータの入力操作に応じて、機能表示画面１０１〜１０３の表示・操作を行う手段である。また、図中１００は、機能表示画面１０１〜１０３を含め、表示部３０上に表示される全画面を示している。
【０００６】
なお、データ記録手段１０とデータ処理手段２０は、コンピュータの基本的な構成要素であるＣＰＵやメモリ等のハードウェアとそれを制御するためのソフトウェアを組み合わせて構成される。また、本明細書中において、「表示データ」は、プラント情報を含め、画面中に表示される「表示対象値」としての各種のデータを意味している。また、「画面制御情報」は、画面自体の表示・操作や画像処理に必要な各種の情報を意味しており、例えば、画面全体の形式や画面を構成する各種の画像要素の形式に関する情報、操作用のツールやパラメータに関する情報等を含む。
【０００７】
また、表示部３０は、生成された機能表示画面１０１〜１０３を視覚的に表示する部分であり、ディスプレイ等のハードウェアから構成されている。入力部４０は、オペレータの入力操作に応じたデータを入力する部分であり、キーボードやマウス等のハードウェアから構成されている。さらに、表示部３０を構成すディスプレイに接触入力用の接触センサや圧力センサが設けられている場合には、それらのセンサもまた入力部４０の構成要素である。また、音声入力のための集音マイク等が設けられている場合には、その集音マイクもまた入力部４０の構成要素である。
【０００８】
なお、図中では、簡略化の観点から、２つの表示装置Ａ，Ｂのみを示しているが、実際には、第１の表示装置Ａの構成を有する複数の表示装置、および第２の表示装置Ｂの構成を有する複数の表示装置が使用される場合が多い。また、機能表示画面として、３種類の機能表示画面１０１〜１０３のみを示しているが、実際には、画面制御情報３として、より多種類の機能表示画面の表示・操作に必要な画面制御情報が保存されている。
【０００９】
【特許文献１】
特開２００１−１８８６０７号公報
【００１０】
【発明が解決しようとする課題】
上述したような従来のプラント監視用表示システムを構成する複数の表示装置においては、特定の表示装置だけで独自の機能表示画面が表示される場合もあるが、各表示装置で表示される多くの機能表示画面は、システム全体として共通の画面形式や共通の操作方式を採用した共通の機能表示画面である。複数の表示装置において、そのような共通の機能表示画面の表示・操作は互いに完全に独立しているため、複数の表示装置間における機能表示画面の表示・操作を連携させるためには、人間系で何らかの作業を行わなければならない。この点について以下に説明する。
【００１１】
まず、あるオペレータが自身の表示装置上の機能表示画面上で行った作業を別のオペレータが引き継ぐ場合には、例えば、先のオペレータが新たなオペレータに対して作業データを提供した後、新たなオペレータが自身の表示装置上で同じ機能表示画面を呼び出し、作業データを用いて先のオペレータの作業結果に応じた表示内容の機能表示画面を作成する必要がある。
【００１２】
また、各オペレータの作業内容を別のオペレータや管理者等が単に確認する場合にも、同様に、作業データの提供、機能表示画面の呼び出し、作業データによる機能表示画面の作成、等の作業が必要である。さらに、このように、所定の作業結果に応じた表示内容を表示するためには、複数の作業が必要であることから、複数の表示装置間で表示内容情報を同時に共有することは困難である。
【００１３】
本発明は、上記のような従来技術の問題点を解決するために提案されたものであり、その目的は、ある表示装置上で表示・操作された結果としての表示内容を、他の表示装置に転送してその転送先で同じ表示内容を容易に再現することの可能なプラント監視用表示システムを提供することである。
【００１４】
また、本発明の別の目的は、ある表示装置上で表示・操作された結果としての表示内容を、他の表示装置に転送してその転送先で続きの表示・操作を容易に行うことの可能なプラント監視用表示システムを提供することである。また、本発明の別の目的は、複数の表示装置間で表示内容に関する情報を同時に共有することの可能なプラント監視用表示システムを提供することである。
【００１５】
【課題を解決するための手段】
本発明は、上記のような目的を達成するために、第１の表示装置上における表示内容を示す情報を第２の表示装置に転送して第２の表示装置上でその情報による表示内容を表示することにより、ある表示装置上で表示・操作された結果としての表示内容を別の表示装置上で容易に再現できるようにしたものである。
【００１６】
また、表示内容を示す情報として、機能表示画面の表示・操作時に利用または取得された非表示の各種データを示す非表示情報を含めることにより、表示内容だけでなく作業環境をも再現可能とし、その結果、ある表示装置上で表示・操作された結果としての表示内容を、他の表示装置に転送してその転送先で続きの表示・操作を容易に行うことができるようにしたものである。
【００１７】
また、第１の表示装置上における表示内容を示す情報を連続的に抽出、転送して第２の表示装置上でその情報による表示内容を連続的にモニタ表示することにより、複数の表示装置間で表示内容に関する情報を同時に共有できるようにしたものである。
【００１８】
請求項１の発明は、プラントを監視するための複数の機能表示画面を同時に表示するマルチウインドウ機能を有する複数の表示装置を備えたプラント監視用表示システムにおいて、転送手段と制御手段を備えたことを特徴としている。ここで、転送手段は、複数の表示装置中における第１の表示装置上で表示・操作された結果として得られた機能表示画面の表示内容を示す表示内容情報を抽出し、抽出された表示内容情報を第２の表示装置に転送する手段である。また、制御手段は、転送された表示内容情報によって示される表示内容の機能表示画面を第２の表示装置上に再現表示する手段である。
【００１９】
請求項１８の発明は、請求項１の発明を方法の観点から把握したものであり、プラントを監視するための複数の機能表示画面を同時に表示するマルチウインドウ機能を有する複数の表示装置を用いたプラント監視用表示方法において、請求項１の発明における転送手段と制御手段の各機能に対応する転送ステップと制御ステップを有することを特徴としている。
【００２０】
以上のような発明によれば、ある表示装置上で表示・操作された結果としての表示内容を示す表示内容情報を抽出し、別の表示装置に対して転送することにより、人間系で何ら特別な作業を行う必要なしに、転送先の表示装置上で転送元の表示装置と同じ表示内容を容易に再現することができる。したがって、人間系で何ら特別な作業を行う必要なしに、ある表示装置上でのオペレータの作業結果を別の表示装置に自動的に転送して再現できるため、転送先の表示装置上で別のオペレータや管理者等がその作業結果を容易に確認することができる。
【００２１】
請求項２の発明は、請求項１のプラント監視用表示システムにおいて、表示内容情報と制御手段の構成に特徴を有する。すなわち、表示内容情報は、それによって示される表示内容の機能表示画面の表示・操作時に利用または取得された非表示の各種データを示す非表示情報を含む。また、制御手段は、転送された表示内容情報によって示される表示内容の機能表示画面を第２の表示装置上で再現した後、再現された機能表示画面の表示・操作を、非表示情報を利用して第２の表示装置上で第１の表示装置から独立して実施するように構成される。
【００２２】
請求項１９の発明は、請求項２の発明を方法の観点から把握したものであり、請求項１８のプラント監視用表示方法において、表示内容情報が、請求項２の発明における表示内容情報と同様の非表示情報を含み、制御ステップが、請求項２の発明における制御手段の各機能に対応する各ステップを含むことを特徴としている。
【００２３】
以上のような発明によれば、機能表示画面の表示内容情報として、再現表示すべき表示内容を示す情報だけでなく、その機能表示画面の転送元での表示・操作時に利用または取得された非表示の各種データを示す非表示情報を含めることにより、転送先の表示装置上において、転送時における転送元の表示装置上での機能表示画面に対する作業環境と同じ作業環境を再現することができる。そのため、ある表示装置上で表示・操作された結果としての表示内容を示す表示内容情報を、別の表示装置上に転送して表示内容を再現した後、転送先の表示装置上で、その再現された表示内容の続きの表示・操作を独立して容易に行うことができる。したがって、人間系で何ら特別な作業を行う必要なしに、ある表示装置上でのオペレータの作業結果を、別の表示装置上に自動的に転送、再現表示して別のオペレータがそのまま作業を引き継ぐことができる。
【００２４】
請求項３の発明は、請求項２のプラント監視用表示システムにおいて、転送手段の構成に特徴を有する。すなわち、転送手段は、第１の表示装置上で表示・操作された複数の機能表示画面の表示内容を示す複数の表示内容情報を一括して抽出し、抽出された複数の表示内容情報を一括して転送するように構成される。
【００２５】
この発明によれば、複数の機能表示画面を同時に表示できるというマルチウインドウ機能の特徴を活かして複数の機能表示画面の表示内容情報を一括的に抽出して転送し、その転送先の表示装置上で、その複数の機能表示画面を一括的に再現してその続きの表示・操作を独立して容易に行うことができる。したがって、より実用性の高い表示・操作環境を提供することができる。
【００２６】
請求項４の発明は、請求項２または請求項３のプラント監視用表示システムにおいて、転送手段の構成に特徴を有する。すなわち、転送手段は、操作権限のある表示装置以外では操作できない機能表示画面の表示内容情報に対して操作権限情報を付加し、操作権限情報付きの表示内容情報を転送するように構成される。
【００２７】
この発明によれば、転送する表示内容情報に権限情報を付加することにより、転送先の表示装置では本来、表示・操作できない機能表示画面であっても、権限を与えることでその転送先の表示装置上においてその機能表示画面を再現してその続きの表示・操作を容易に行うことができる。したがって、本来は特定の表示装置上でしか表示・操作ができない種類の機能表示画面であっても、必要に応じて任意の表示装置上に表示したり、作業を引き継いだりすることが可能となる等、より柔軟性の高い表示・操作環境を提供することができる。
【００２８】
請求項５の発明は、請求項２乃至請求項４のいずれかのプラント監視用表示システムにおいて、転送手段の構成に特徴を有する。すなわち、転送手段は、表示内容情報に対して第１の表示装置上でオペレータから与えられた説明情報を付加し、説明情報付きの表示内容情報を転送するように構成される。
【００２９】
この発明によれば、転送元の表示装置のオペレータは、転送しようとする機能表示画面の表示内容情報に対して、申し送り事項等の説明情報を自由に付加することができる。したがって、例えば、機能表示画面の表示内容情報だけでは転送先のオペレータがなぜ送られてきたのか理解し難い場合であっても、転送元で何を目的として転送した情報であるか等の申し送り事項を付加することにより、転送先のオペレータは、転送元のオペレータの意図を容易に理解することができる。
【００３０】
請求項６の発明は、請求項２乃至請求項５のいずれかのプラント監視用表示システムにおいて、転送手段の構成に特徴を有する。すなわち、転送手段は、機能表示画面の表示・操作に必要な全ての情報を転送するように構成される。
【００３１】
この発明によれば、機能表示画面の表示内容情報だけでなく、その機能表示画面の表示・操作に必要な全ての情報を転送することができる。したがって、転送先の表示装置が、プラント情報を入力・記録する機能や表示データを持たず、プラント監視用の機能表示画面を表示・操作するための画面制御情報等を持たないような、ハード制限（メモリ容量が限定されている等）のある可搬型表示装置であっても、その可搬型表示装置上で転送した機能表示画面と同一の表示内容を再現し、続きの表示・操作を独立して容易に実施することができる。また、表示・操作終了時には不要となった情報を消去することにより、別の機能表示画面の表示・操作や他の作業に必要なハード環境を容易に確保することができる。
【００３２】
請求項７の発明は、請求項２乃至請求項６のいずれかのプラント監視用表示システムにおいて、転送手段の構成に特徴を有する。すなわち、転送手段は、表示内容情報を転送する際の送信記録を履歴データとして保存するように構成される。
【００３３】
この発明によれば、機能表示画面の表示内容情報を転送する際の送信記録を履歴データとして保存することにより、転送した表示内容情報の履歴管理をすることができる。したがって、何ら特別な調査を行う必要なしに、保存した履歴データを利用して、機能表示画面の表示内容情報の転送先・引継先の表示装置がどの表示装置であるかを容易に追跡することができる。
【００３４】
請求項８の発明は、請求項２乃至請求項７のいずれかのプラント監視用表示システムにおいて、転送手段の構成に特徴を有する。すなわち、転送手段は、表示内容情報を転送した場合に、第２の表示装置上での当該表示内容情報による機能表示画面の表示・操作状況をモニタするように構成される。
【００３５】
この発明によれば、転送元の表示装置上で、転送先の表示装置上における機能表示画面の表示内容の変化を容易に監視することができる。すなわち、転送元の表示装置上で、転送した表示内容情報による機能表示画面の表示内容が転送先の表示装置で表示・操作されているか、終了しているかを容易に確認することができる。
【００３６】
請求項９の発明は、請求項１乃至請求項８のいずれかのプラント監視用表示システムにおいて、制御手段の構成に特徴を有する。すなわち、制御手段は、第１の表示装置上の機能表示画面を示す画像要素を第２の表示装置上で表示し、画像要素が選択された場合にその選択された画像要素により示される実際の機能表示画面の表示内容情報を第１の表示装置から取得してその機能表示画面を再現表示するように構成される。
【００３７】
請求項２０の発明は、請求項９の発明を方法の観点から把握したものであり、請求項１８または請求項１９のプラント監視用表示方法において、制御ステップが、請求項９の発明における制御手段の各機能に対応する各ステップを含むことを特徴としている。
【００３８】
以上のような発明によれば、表示装置上で別の表示装置の機能表示画面を示す画像要素を表示することにより、オペレータは、画像要素を選択するだけで、別の表示装置上で表示・操作している任意の機能表示画面を要求し、自身の表示装置上でモニタ表示することができる。
【００３９】
請求項１０の発明は、請求項９のプラント監視用表示システムにおいて、画像要素と制御手段の構成に特徴を有する。すなわち、画像要素は、第１の表示装置における実際の表示状態を簡略化して具体的に示す概略表示である。また、制御手段は、画像要素により示される実際の表示状態の変化に応じて画像要素をリアルタイムに更新するように構成される。
【００４０】
この発明によれば、モニタ対象となる別の表示装置上における実際の表示状態を簡略化して具体的に示す画像要素を、モニタ対象の表示装置上における実際の表示状態の変化に応じてリアルタイムに更新することにより、オペレータは、モニタ対象の表示装置上で表示されている実際の表示状態の概略を、自身の表示装置上でリアルタイムに把握することができる。したがって、オペレータは、モニタ対象の表示装置上における表示状態が時間経過により大きく変化している場合であっても、その表示状態の概略をリアルタイムに把握して、状況に応じた機能表示画面を的確に要求し、モニタ表示することができる。
【００４１】
請求項１１の発明は、請求項９または請求項１０のプラント監視用表示システムにおいて、非表示情報と制御手段の構成に特徴を有する。すなわち、画像要素により示される実際の機能表示画面の表示内容情報は、それによって示される表示内容の機能表示画面の表示・操作時に利用または取得された非表示の各種データを示す非表示情報を含む。また、制御手段は、第２の表示装置上で選択された画像要素に対応する実際の機能表示画面を再現表示した後、再現表示された機能表示画面の表示・操作を、非表示情報を利用して第２の表示装置上で第１の表示装置から独立して実施するように構成される。
【００４２】
この発明によれば、別の表示装置上で表示・操作中の機能表示画面をモニタ表示するだけでなく、表示した機能表示画面を元の表示装置とは別に独立して表示・操作することができる。したがって、オペレータは、別の表示装置上で表示・操作中の機能表示画面を呼び込み、その表示内容の続きの表示・操作を元の表示装置と並行的に独立して行うことができる。
【００４３】
請求項１２の発明は、請求項１乃至請求項１１のいずれかのプラント監視用表示システムにおいて、転送手段と制御手段の構成に特徴を有する。すなわち、転送手段は、第１の表示装置上における特定の機能表示画面を呼び出すために予め用意された特定の情報を第２の表示装置から受信した場合に、当該機能表示画面の表示・操作に必要な全ての情報を第２の表示装置に送信するように構成される。また、制御手段は、第１の表示装置から機能表示画面の表示・操作に必要な全ての情報を受信した場合に、当該機能表示画面を再現表示し、再現表示された機能表示画面の表示・操作を、受信した情報を利用して第２の表示装置上で第１の表示装置から独立して実施するように構成される。
【００４４】
請求項２１の発明は、請求項１２の発明を方法の観点から把握したものであり、請求項１８乃至請求項２０のいずれかのプラント監視用表示方法において、転送ステップと制御ステップが、請求項１２の発明における転送手段と制御手段の各機能に対応する各ステップをそれぞれ含むことを特徴としている。
【００４５】
以上のような発明によれば、表示装置が、特定の機能表示画面を表示するのに必要な画面制御情報を何ら持たない場合でも、所定の要求データを表示装置に読み込ませて送信することにより、特定の機能表示画面の表示・操作に必要な全ての情報を受信することができる。
【００４６】
したがって、表示装置が、プラント情報入力機能やその全画面表示用の画面制御情報を持たないような、ハード制限（メモリ容量が限定されている等）のある可搬型表示装置であっても、オペレータは、必要な場合にのみ、所定の要求データを読み込ませて送信することにより、特定の機能表示画面の表示・操作に必要な全ての情報を受信することができる。そして、受信した情報により、可搬型表示装置上で特定の機能表示画面を再現し、続きの表示・操作を独立して容易に実施することができる。また、表示・操作終了時には不要となった情報を消去することにより、別の機能表示画面の表示・操作や他の作業に必要なハード環境を容易に確保することができる。
【００４７】
請求項１３の発明は、請求項１乃至請求項１２のいずれかのプラント監視用表示システムにおいて、転送手段と制御手段の構成に特徴を有する。すなわち、転送手段は、第１の表示装置上で表示・操作された結果として得られた機能表示画面の表示内容を示す表示内容情報を連続的に抽出し、抽出された表示内容情報を第２の表示装置に連続的に転送するように構成される。また、制御手段は、連続的に転送される表示内容情報によって示される表示内容の機能表示画面を第２の表示装置上で連続的にモニタ表示するように構成される。
【００４８】
請求項２２の発明は、請求項１３の発明を方法の観点から把握したものであり、請求項１８乃至請求項２１のいずれかのプラント監視用表示方法において、転送ステップと制御ステップが、請求項１３の発明における転送手段と制御手段の各機能に対応する各ステップをそれぞれ含むことを特徴としている。
【００４９】
以上のような発明によれば、ある表示装置上で表示・操作された結果としての表示内容を示す表示内容情報を連続的に抽出し、別の表示装置に対して連続的に転送することにより、人間系で何ら特別な作業を行う必要なしに、転送先の表示装置上で転送元の表示装置の表示内容をリアルタイムに連動表示することができる。したがって、例えば、あるオペレータが作業中の機能表示画面の表示内容情報を共通モニタ等に転送することにより、そのオペレータの作業状況を、関係者がリアルタイムに共有モニタで確認でき、情報を共有化することができる。
【００５０】
請求項１４の発明は、請求項１３のプラント監視用表示システムにおいて、転送手段の構成に特徴を有する。すなわち、転送手段は、第１の表示装置上の機能表示画面に対する転送要求を第２の表示装置から受信した場合に、当該機能表示画面の表示内容を示す表示内容情報を第２の表示装置に連続的に転送するように構成される。
【００５１】
この発明によれば、機能表示画面に対する転送要求に応答して、表示装置上で表示内容情報を連続的に抽出し、要求元の表示装置に対して連続的に転送することにより、人間系で何ら特別な作業を行う必要なしに、要求元である転送先の表示装置上で転送先の表示装置の表示内容をリアルタイムに連動表示することができる。したがって、例えば、統括責任者が管理する複数のオペレータの各作業中の機能表示画面を自身の表示装置に適宜連動表示させ、各オペレータの作業状況を確認することができるため、複数のオペレータの作業状況をまとめて監視することができる。
【００５２】
請求項１５の発明は、請求項１３または請求項１４のプラント監視用表示システムにおいて、連動状態表示手段を備えたことを特徴としている。ここで、連動状態表示手段は、第１の表示装置上における機能表示画面の表示内容情報を第２の表示装置に連続的に転送し、第２の表示装置上でリアルタイムに連動表示する場合に、第１と第２の表示装置のそれぞれに、「当該機能表示画面が連動表示中であること」および「自表示装置が当該機能表示画面の操作主体側とモニタ表示側のいずれであるか」を示す指示要素を表示する手段である。
【００５３】
この発明によれば、連動表示中の各表示装置上で、連動表示に関する情報を示す画像要素を表示することにより、各表示装置のオペレータは、現在表示している機能表示画面が、別の表示装置と連動した連動表示であるのかそれ以外の単独表示であるのか、および、連動表示である場合には、自身の表示装置が操作主体側とモニタ表示側のいずれであるのか、を容易に把握することができる。
【００５４】
請求項１６の発明は、請求項１３乃至請求項１５のいずれかのプラント監視用表示システムにおいて、メッセージ手段を備えたことを特徴としている。ここで、メッセージ手段は、第１の表示装置上における機能表示画面の表示内容情報を第２の表示装置に連続的に転送し、第２の表示装置上でリアルタイムに連動表示する場合に、第１と第２の表示装置の当該機能表示画面上で装置間のメッセージのやり取りを実現する手段である。
【００５５】
この発明によれば、連動表示中の各表示装置のオペレータは、現在表示している機能表示画面上で、別の表示装置のオペレータに対するコメントやメッセージを入力することにより、表示装置間におけるコメントやメッセージのやり取りを、機能表示画面の表示・操作と同時並行的に容易に行うことができる。したがって、離れた位置にいるオペレータ同士でも、同じ場所で同じ機能表示画面を確認しながら対話しているのと同様の高度な意思疎通を行うことができ、的確な作業を効率よく行うことができる。
【００５６】
請求項１７の発明は、請求項１乃至請求項１６のいずれかのプラント監視用表示システムにおいて、第１の表示装置から第２の表示装置に転送される表示内容情報が、それによって示される表示内容の前記機能表示画面の表示要求を含む、ことを特徴としている。
【００５７】
この発明によれば、転送する表示内容情報に表示要求を含めることにより、表示内容情報が転送先の表示装置により受信された時点で、転送先の表示装置のオペレータが何ら操作を行う必要なしに、表示内容情報に含まれる表示要求に基づき、転送先の表示装置上で自動的に機能表示画面を表示することができる。
【００５８】
【発明の実施の形態】
以下には、本発明に係るプラント監視用表示システムの実施の形態について、図面を参照して具体的に説明する。なお、図１８に示した従来技術と同一部分には同一符号を付し、説明は省略する。
【００５９】
［第１の実施形態］
［構成］
図１は、本発明を適用した第１の実施形態に係るプラント監視用表示システムを示すブロック図である。この図１に示すように、各表示装置は、マルチウインドウ機能を有するオペレーションシステムを備えたコンピュータシステムとして構成されており、基本的に、データ記録手段１０、データ処理手段２０、表示部３０、入力部４０を備えている。
【００６０】
この構成に加えて、第１の表示装置Ａは、抽出手段１１０と伝送手段１２０を備えており、第２の表示装置Ｂは、伝送手段１２０と再現手段１３０を備えている。
【００６１】
ここで、第１の表示装置Ａの抽出手段１１０は、第１の表示装置Ａ上で表示・操作された結果としてデータ処理手段２０により生成された機能表示画面（例えば１０１）の表示内容を示す表示内容情報２００を抽出する手段である。また、第１の表示装置Ａ側の伝送手段１２０は、抽出された表示内容情報２００を第２の表示装置Ｂに転送するために使用される。
【００６２】
このように、第１の表示装置Ａにおいては、表示・操作された結果として得られた機能表示画面の表示内容を示す表示内容情報２００を、抽出手段１１０により抽出し、抽出された表示内容情報２００を伝送手段１２０により第２の表示装置Ｂに転送するようになっている。すなわち、第１の表示装置Ａの抽出手段１１０と伝送手段１２０は、本発明における「転送手段」を構成している。
【００６３】
一方、第２の表示装置Ｂ側の伝送手段１２０は、第１の表示装置Ａから転送された表示内容情報２００を受信するために使用される。また、第２の表示装置Ｂの再現手段１３０は、伝送手段１２０により受信された表示内容情報２００に応答してデータ処理手段２０を制御し、表示内容情報２００によって示される表示内容の機能表示画面を表示部３０上に再現表示させる手段である。
【００６４】
この場合、第２の表示装置Ｂのデータ処理手段２０は、表示内容情報２００に応じた画面制御情報３を呼び出して合成することにより、第１の表示装置Ａと表示内容が同一の機能表示画面を表示部３０上で再現表示するようになっている。そして、第２の表示装置Ｂのデータ処理手段２０は、表示部３０上に機能表示画面を再現表示した後は、その機能表示画面の画面制御情報３や表示データ２、表示内容情報２００中の後述する非表示情報２００３等を用いて、機能表示画面の表示・操作を独立して実施するようになっている。
【００６５】
このように、第２の表示装置Ｂにおいては、第１の表示装置Ａから転送された表示内容情報２００を伝送手段１２０により受信し、再現手段１３０とデータ処理手段２０により、表示内容情報２００によって示される表示内容の機能表示画面を表示部３０上で再現表示するようになっている。すなわち、第２の表示装置Ｂの伝送手段１２０、再現手段１３０、およびデータ処理手段２０は、本発明における「制御手段」を構成している。
【００６６】
なお、抽出手段１１０と再現手段１３０は、データ記録手段１０やデータ処理手段２０と同様に、コンピュータの基本的な構成要素であるＣＰＵやメモリ等のハードウェアとそれを制御するためのソフトウェアを組み合わせて構成される。また、伝送手段１２０は、表示装置Ａ，Ｂ間で情報を伝送するための手段であり、コンピュータの基本的な構成要素である通信制御装置（ＣＣＵ）やＣＣＰにより構成されている。表示装置の伝送手段１２０間の伝送方式としては、部分的に無線接続を適用することも可能であるが、基本的には、プラント監視用表示システム内の有線接続による高速データ伝送が行われるようになっている。
【００６７】
また、本実施形態において、抽出手段１１０により抽出される表示内容情報２００のデータ構造は適宜選択可能であるが、ここでは、図１に示す機能表示画面１０１の表示内容を示す表示内容情報２００の一例として、図２に示すようなデータ構造を有する表示内容情報Ｄ１を使用するものとする。
【００６８】
この図２に示す表示内容情報Ｄ１は、特定の機能表示画面１０１を再現するための「画面表示内容情報」２０１に、転送に必要な「転送情報」２１１、転送先での画面の再現を指示する「表示要求」２１２、等を付加したものである。ここで、画面表示内容情報２０１は、機能表示画面１０１の「画面種別」２００１とその機能表示画面１０１中で再現表示されるべき表示内容を具体的に表現する「表示内容詳細情報」２００２、および、機能表示画面１０１中で再現表示される表示内容ではない非表示の各種データを表現する「非表示情報」２００３、等を含んでいる。
【００６９】
このうち、表示内容詳細情報２００２は、機能表示画面を通じて視覚的に表現される実体的な情報、画面自体の寸法や外観等を示す形式的な情報、等の、再現表示されるべき「表示内容」に関する詳細な情報である。これに対して、非表示情報２００３は、表示内容詳細情報２００２により表現される「表示内容」には含まれていないが、その機能表示画面の「表示内容」を得た際の表示・操作時に利用または取得された各種のデータを表現する情報である。
【００７０】
また、転送情報２１１は、機能表示画面に対する作業を行ったオペレータの氏名あるいは識別番号等のオペレータＩＤ、転送元となる表示装置の名称あるいは識別番号等の転送元ＩＤ、転送先となる表示装置の名称あるいは識別番号等の転送先ＩＤ、等の情報を含んでいる。さらに、表示要求２１２は、転送先の表示装置上で再現手段１３０に対して機能表示画面の再現表示用の動作を行わせるための指示情報である。
【００７１】
なお、図中では、簡略化の観点から、２つの表示装置Ａ，Ｂのみを示しているが、実際には、第１の表示装置Ａの構成を有する複数の表示装置、および第２の表示装置Ｂの構成を有する複数の表示装置が使用されている。また、機能表示画面として、３種類の機能表示画面１０１〜１０３のみを示しているが、実際には、画面制御情報３として、より多種類の機能表示画面の表示・操作に必要な画面制御情報が保存されている。
【００７２】
［作用］
以上のような構成を有する本実施形態のプラント監視用表示システムにおいては、次のような作用が得られる。
【００７３】
まず、第１の表示装置Ａの表示部３０上に機能表示画面１０１が表示された状態において、オペレータは、入力部４０により機能表示画面１０１に対する作業としての入力操作を行うことによって、データ処理手段２０によりその入力操作を反映させる形で機能表示画面１０１の表示・操作を行うことができる。すなわち、データ処理手段２０は、表示データ２を画像化し、画面制御情報３との合成により機能表示画面１０１を生成すると共に、オペレータの入力操作に応じて機能表示画面１０１の表示・操作を行う。
【００７４】
そして、第１の表示装置Ａ側のオペレータは、機能表示画面に対する作業を第２の表示装置Ｂ側のオペレータに引き継がせようとする場合には、入力部４０によりその旨を指示する入力操作を行うことによって、機能表示画面に対する作業結果をそのままの状態で第２の表示装置Ｂ側に転送し、作業の引継を行うことができる。この点について以下に説明する。
【００７５】
すなわち、第１の表示装置Ａ側のオペレータが、自身の作業結果である機能表示画面１０１とその表示内容、転送先等を指定する入力操作を行うことにより、表示内容情報２００として、図２に示すような、画面表示内容情報２０１、転送情報２１１、表示要求２１２、等を含む表示内容情報Ｄ１が、抽出手段１１０により抽出され、伝送手段１２０により第２の表示装置Ｂに転送される。
【００７６】
そして、第２の表示装置Ｂに転送された表示内容情報２００は、第２の表示装置Ｂ側の伝送手段１２０により受信され、受信した表示内容情報２００に基づき、再現手段１３０とデータ処理手段２０により、第１の表示装置Ａ上における機能表示画面１０１の作業結果と同じ表示内容の機能表示画面１０１が第２の表示装置Ｂ上で再現表示される。
【００７７】
この場合、第２の表示装置Ｂの再現手段１３０は、表示内容情報２００（Ｄ１）に含まれる表示要求２１２に応答して、画面表示内容情報２０１と転送情報２１１をデータ処理手段２０に渡す。データ処理手段２０は、機能表示画面１０１の画面表示内容情報２０１中に含まれる画面種別２００１に応じた画面制御情報３や表示データ２を呼び出し、表示内容詳細情報２００２との合成により、第１の表示装置Ａの機能表示画面１０１と表示内容が同一の機能表示画面１０１を表示部３０上で再現表示する。
【００７８】
さらに、機能表示画面１０１の画面表示内容情報２０１には、再現表示すべき表示内容を示す表示内容詳細情報２００２だけでなく、機能表示画面１０１の転送元での表示・操作時に利用または取得された非表示の各種データを示す非表示情報２００３を含んでいる。転送先である第２の表示装置Ｂ上においても、このような非表示情報２００３、自身で保持している機能表示画面１０１の画面制御情報３と表示データ２、等により、転送時における第１の表示装置Ａ上での機能表示画面１０１に対する作業環境と同じ作業環境を再現することができる。
【００７９】
そのため、第２の表示装置Ｂの表示部３０上に第１の表示装置Ａと同じ表示内容の機能表示画面１０１が再現表示された状態において、第２の表示装置Ｂ側のオペレータは、最初から自身の表示装置Ｂで表示・操作している場合と同様に、入力部４０による入力操作によって、データ処理部２０により機能表示画面１０１の続きの表示・操作を行うことができる。
【００８０】
以上のように、第１の表示装置側のオペレータは、自身の表示装置上で表示された機能表示画面に対する作業を、途中で他のオペレータに引き継がせようとする場合に、転送先を指定する等の簡単な入力操作を行うだけで、自身の作業結果を第２の表示装置に転送して同じ表示内容の機能表示画面を再現表示することができる。そして、転送先である第２の表示装置側のオペレータは、その再現表示された機能表示画面の表示内容から、続きの表示・操作を独立して容易に行うことができる。
【００８１】
例えば、ある機能表示画面において段階的に実施すべき複数の作業項目「ＳＴＥＰ１」、「ＳＴＥＰ２」、・・・、「ＳＴＥＰｎ」、が存在する場合に、第１の表示装置Ａ上で１つの作業項目「ＳＴＥＰ１」のみを実施したオペレータは、その作業結果を第２の表示装置Ｂに転送して、第２の表示装置Ｂ上のオペレータに、後続の作業項目「ＳＴＥＰ２」、・・・、「ＳＴＥＰｎ」を引き継がせることができる。
【００８２】
また、第１の表示装置Ａ側のオペレータは、自身の表示装置上で表示された機能表示画面に対する作業結果を第２の表示装置Ｂ側のオペレータや管理者等に確認させようとする場合には、入力部４０によりその旨を指示する入力操作を行うことによって、その作業結果をそのままの状態で第２の表示装置Ｂ側に転送し、再現表示させることができる。
【００８３】
［効果］
以上のような本実施形態のプラント監視用表示システムによれば、次のような効果が得られる。
【００８４】
まず、人間系で、作業データの提供、機能表示画面の呼び出し、作業データによる機能表示画面の作成、等の特別な作業を行う必要なしに、ある表示装置上でのオペレータの作業結果を別の表示装置に自動的に転送して再現できるため、転送先の表示装置上で別のオペレータや管理者等がその作業結果を容易に確認することができる。
【００８５】
特に、転送先の表示装置上で、その再現された表示内容の続きの表示・操作を独立して容易に行うことができるため、人間系で何ら特別な作業を行う必要なしに、ある表示装置上でのオペレータの作業結果を、別の表示装置上に自動的に転送、再現表示して別のオペレータがそのまま作業を引き継ぐことができる。その結果、離間した表示装置間での作業の分業を容易に行うことができ、プラント監視作業全体を効率よく行うことが可能となる。
【００８６】
また、あるオペレータの作業結果である機能表示画面の表示内容がそのまま転送され、再現表示されることから、次のオペレータは、作業項目の実施の有無を容易に把握できるため、複数のオペレータ間で段階的な作業項目を含む作業を順次申し送りするような場合でも、先の作業項目が非実施のまま後続の作業項目が実施されることによる「作業項目の抜け」等の不都合を防止できる。
【００８７】
［第２の実施形態］
本発明を適用した第２の実施形態に係るプラント監視用表示システムにおいては、第１の実施形態における第１の表示装置Ａの抽出手段１１０に、複数の機能表示画面の表示内容を示す複数の表示内容情報を一括して抽出する機能を持たせると共に、第１の表示装置Ａ側の伝送手段１２０に、一括して抽出された複数の表示内容情報を一括して転送する機能を持たせる。
【００８８】
以上のような構成を有する本実施形態によれば、第１の表示装置Ａ側のオペレータは、例えば、マルチウインドウ機能により表示部３０上に表示した複数の機能表示画面１０１，１０２に対する作業結果をそのままの状態で第２の表示装置Ｂ側のオペレータや管理者等に転送し、複数の機能表示画面１０１，１０２に対する作業の引継や作業結果の確認等を一括して行うことができる。この点について以下に説明する。
【００８９】
例えば、複数の機能表示画面１０１，１０２の表示内容を示す表示内容情報２００として、図３に示すような表示内容情報Ｄ２が抽出手段１１０により抽出され、伝送手段１２０により第２の表示装置Ｂに転送される。この表示内容情報Ｄ２は、機能表示画面１０１の表示内容を示す画面表示内容情報２０１と機能表示画面１０２の表示内容を示す画面表示内容情報２０２に、転送情報２１１、表示要求２１２を付加したものである。このうち、画面表示内容情報２０１は、図２に示す画面表示内容情報２０１と同様であり、画面表示内容情報２０２も、画面表示内容情報２０１と同様のデータ構造を有する。また、転送情報２１１、表示要求２１２については前述した通りである。
【００９０】
第１の表示装置Ａから一括的に転送された複数の画面表示内容情報２０１，２０２を含む表示内容情報２００は、第２の表示装置Ｂ側の伝送手段１２０により一括的に受信される。そして、第２の表示装置Ｂ側の再現手段１３０とデータ処理手段２０により第１の表示装置Ａ上における複数の機能表示画面１０１，１０２の作業結果と同じ表示内容の機能表示画面１０１，１０２が第２の表示装置Ｂ上で一括的に再現表示される。
【００９１】
さらに、第１の表示装置Ａ上に表示されている全ての機能表示画面１０１〜１０３を転送する場合には、例えば、図４に示すような全画面の表示内容を示す表示内容情報Ｄ３を用いることにより、全画面の表示内容をそのままの表示状態で一括転送し、第２の表示装置Ｂ上で一括的に再現表示することもできる。図４に示す表示内容情報Ｄ３は、各機能表示画面１０１〜１０３の各画面表示内容情報２０１〜２０３に、画面間の表示位置関係や表示寸法等を含めた全画面の表示状態を示す全画面状態情報４０１を付加すると共に、前述の転送情報２１１や表示要求２１２を付加したものである。
【００９２】
以上のように、本実施形態によれば、複数の機能表示画面を、個々に転送することなく一括的に抽出して転送できるため、その転送先の表示装置上で、その複数の機能表示画面を一括的に再現してその続きの表示・操作を独立して容易に行うことができる。したがって、より実用性の高い表示・操作環境を提供することができると共に、機能表示画面に対する作業の引継や確認に要する時間をさらに短縮して、プラント監視作業全体の効率をさらに向上できる。また、複数の機能表示画面を個々に転送する場合に比べて、機能表示画面の「転送漏れ」等の不都合を防止できる。
【００９３】
［第３の実施形態］
本発明を適用した第３の実施形態に係るプラント監視用表示システムにおいては、第１の実施形態における第１の表示装置Ａの抽出手段１１０に、操作権限のある表示装置以外では操作できない表示内容情報に対して操作権限情報を付加する機能を持たせると共に、第１の表示装置Ａ側の伝送手段１２０に、一時的な操作権限付きの表示内容情報を転送する機能を持たせる。なお、「一時的な操作権限」としては、例えば、転送先で再現表示された機能表示画面が閉じられた時点で操作権限が消滅する１回限りの操作権限、有効期間を設けた時限的な操作権限、有効回数を設けた回数制限された操作権限、等が考えられる。
【００９４】
以上のような構成を有する本実施形態によれば、第１の表示装置Ａ側のオペレータが、第２の表示装置Ｂでは本来操作できない機能表示画面に対する作業を第２の表示装置Ｂ側のオペレータに引き継がせようとする場合に、操作権限付き表示内容情報を用いることにより、機能表示画面に対する作業結果をそのままの状態で第２の表示装置Ｂ側に転送し、一時的に通常の機能表示画面と同様に作業の引継を行うことができる。この点について以下に説明する。
【００９５】
例えば、第１の表示装置Ａ側のオペレータが、機能表示画面１０１を第２の表示装置Ｂ側に転送することを指定した際に、機能表示画面１０１に対して第２の表示装置Ｂ側に本来、操作権限がない場合には、第１の表示装置Ａの抽出手段１１０により、図５に示すような操作権限付きの表示内容情報Ｄ４が抽出され、伝送手段１２０により第２の表示装置Ｂに転送される。
【００９６】
ここで、図５に示す操作権限付きの表示内容情報Ｄ４は、機能表示画面１０１の画面表示内容情報２０１に、機能表示画面１０１の操作権限を限定的に与える操作権限情報５０１を付加すると共に、前述の転送情報２１１や表示要求２１２を付加したものである。第２の表示装置Ｂ側において、伝送手段１２０で操作権限付きの表示内容情報Ｄ４を受信すると、操作権限情報５０１に基づき、再現手段１３０とデータ処理手段２０による機能表示画面１０１と同じ表示内容の機能表示画面１０１の再現表示および続きの表示・操作を可能にする操作権限が一時的に与えられる。
【００９７】
また、第１の表示装置Ａの構成を有する１つの表示装置でしか操作できない複数の機能表示画面の作業を同時に行おうとする場合に、第２の表示装置Ｂの構成を有する別の単数または複数の表示装置に対して各機能表示画面の作業を一時的に権限委譲することにより、複数の機能表示画面の作業を複数のオペレータにより同時並行的に行うことができる。
【００９８】
以上のように、本実施形態によれば、本来は、操作権限を有する特定の表示装置上でしか表示・操作ができない種類の機能表示画面であっても、必要に応じて、本来は操作権限を持たない任意の表示装置上に再現表示したり、作業を引き継いだりすることが可能となる。したがって、より柔軟性の高い表示・操作環境を提供することができ、特に、複数の機能表示画面に対する作業が短時間・同時性を要する場合に最適である。
【００９９】
［第４の実施形態］
本発明を適用した第４の実施形態に係るプラント監視用表示システムにおいては、第１の実施形態における第１の表示装置Ａの抽出手段１１０に、表示内容情報に対してオペレータから与えられた説明情報を付加する機能を持たせると共に、第１の表示装置Ａ側の伝送手段１２０に、説明情報付きの表示内容情報を転送する機能を持たせる。
【０１００】
なお、「説明情報」としては、例えば、「転送理由」、「継続作業項目」、「特記事項」、「注意事項」等の各種の「説明的事項」を示す文字またはその他の情報が考えられる。また、それらの説明情報の入力・出力形式は適宜選択可能である。例えば、文字あるいは各種の図形、マーク等の画像要素を、機能表示画面内に付加的に記入し、表示する画像入力・出力形式や、機能表示画面のメイン画面とは別のサブ画面に記入し、表示する画像入力・出力形式等が考えられるが、その他に、音声入力・出力形式等も可能である。さらに、複数の入力・出力形式を適宜組み合わせたり、任意の入力形式、出力形式を転送元と転送先のオペレータが自由に選択できるようにしてもよい。
【０１０１】
以上のような構成を有する本実施形態において、第１の表示装置Ａ側のオペレータが、転送しようとする機能表示画面１０１上で転送先に対する「転送理由」、「継続作業項目」等の説明情報を指定した場合には、抽出手段１１０により、図６に示すような説明情報付きの表示内容情報Ｄ５が抽出され、伝送手段１２０により第２の表示装置Ｂに転送される。
【０１０２】
ここで、図６に示す説明情報付きの表示内容情報Ｄ５は、機能表示画面１０１の画面表示内容情報２０１に、「転送理由」、「継続作業項目」、「特記事項」、「注意事項」等の各種の「説明的事項」を示す説明情報６０１を付加すると共に、前述の転送情報２１１や表示要求２１２を付加したものである。第２の表示装置Ｂ側において、伝送手段１２０で説明情報付きの表示内容情報Ｄ５を受信すると、画面表示内容情報２０１に基づき、機能表示画面１０１と同じ表示内容の機能表示画面１０１が再現表示されると共に、説明情報６０１が所定の形式で出力される。
【０１０３】
したがって、例えば、機能表示画面の表示内容情報だけでは、転送先のオペレータが転送元のオペレータの意図を理解し難い場合であっても、転送元で「転送理由」、「継続作業項目」、等の申し送り事項を説明情報６０１として付加することにより、転送先のオペレータは、その説明情報６０１の画像表示、音声出力等により、転送元のオペレータの意図を容易に理解することができる。すなわち、「転送理由」、「継続作業項目」、等から、その機能表示画面が「なぜ転送されてきたのか」、また、「引き続きどの作業を行う必要があるのか」、等を容易に理解することができる。
【０１０４】
そのため、例えば、第１の表示装置Ａでの作業が中途半端な状態であっても、転送先のオペレータは、「継続作業項目」等の説明情報に基づき、確実にその状態から必要な作業を継続的に実施することができる。さらに、転送先のオペレータの業務経験レベルに応じた内容の説明情報を作成すること等により、説明情報を有効に活用して作業の引継を効率よく行うことができる。
【０１０５】
以上のように、本実施形態によれば、転送元のオペレータの裁量により、機能表示画面の表示内容情報の転送時に説明情報を適宜付加して転送先で有効に活用することができるため、プラント状態に応じた最適な表示・操作環境と作業分担を容易に実現できる。
【０１０６】
［第５の実施形態］
図７は、本発明を適用した第５の実施形態に係るプラント監視用表示システムを示すブロック図である。この図７に示すように、本実施形態は、第２の表示装置Ｂが、ハード制限のある可搬型表示装置７００であり、第１の表示装置Ａ側で表示される機能表示画面１０１〜１０３用の画面制御情報や表示データを持たない場合に対応するものである。
【０１０７】
すなわち、プラントにおいて現場で使用される多くの可搬型表示装置において、保存可能な画面制御情報や表示データの量は、メモリ容量制限等のハード制限に応じて限定される。図７の可搬型表示装置７００は、そのような限定された画面制御情報７０１や表示データ７０２を保存した装置であり、典型的には、プラント情報１を定常的に入力・記録するデータ記録手段１０を持たず、また、第１の表示装置Ａ側で表示される全ての機能表示画面１０１〜１０３用の画面制御情報や表示データを保存していない。
【０１０８】
本実施形態においては、このような可搬型表示装置７００に対応するために、第１の表示装置Ａの抽出手段１１０に、表示内容情報だけでなく、特定の機能表示画面の表示・操作に必要な全ての情報を「特定画面用全情報」として抽出する機能を持たせると共に、第１の表示装置Ａ側の伝送手段１２０に、その「特定画面用全情報」を転送する機能を持たせる。
【０１０９】
以上のような構成を有する本実施形態において、第１の表示装置Ａ側のオペレータが、可搬型表示装置７００側で画面制御情報や表示データを持たない機能表示画面１０１の転送先として可搬型表示装置７００側を指定した場合には、抽出手段１１０により、図８に示すような特定画面用全情報８００が抽出され、伝送手段１２０により可搬型表示装置７００に転送される。
【０１１０】
ここで、図８に示す特定画面用全情報８００は、機能表示画面１０１の画面表示内容情報２０１に、その機能表示画面１０１を表示・操作するための画面制御情報８０１や表示データ８０２を付加すると共に、前述の転送情報２１１や表示要求２１２を付加したものである。
【０１１１】
可搬型表示装置７００側において、伝送手段１２０で特定画面用全情報８００を受信すると、再現手段１３０とデータ処理手段２０により、特定画面用全情報８００に含まれる画面表示内容情報２０１、画面制御情報８０１、表示データ８０２を用いて、機能表示画面１０１と同じ表示内容の機能表示画面１０１が再現表示される。この場合、特定画面用全情報８００中の画面制御情報８０１や表示データ８０２は、図７中に破線で示すように、可搬型表示装置７００のメモリ容量の空き部分、すなわち、可搬型表示装置７００が常時保持している画面制御情報７０１や表示データ７０２の空き領域に一時的に保存される。
【０１１２】
可搬型表示装置７００の表示部３０上に第１の表示装置Ａと同じ表示内容の機能表示画面１０１が再現表示された状態において、可搬型表示装置７００のオペレータは、一時的に保存された画面制御情報８０１や表示データ８０２を用いて、第１の表示装置Ａ上で表示・操作する場合と同様に、機能表示画面１０１の表示・操作を行うことができる。また、機能表示画面１０１に対する作業を終了した時点で不要となった画面制御情報８０１や表示データ８０２は、オペレータの確認を得た上で消去される。
【０１１３】
このように、本実施形態によれば、転送先の表示装置が、プラント情報を入力・記録する機能や表示データを持たず、プラント監視用の機能表示画面を表示・操作するための画面制御情報等を持たないような、ハード制限のある可搬型表示装置であっても、その可搬型表示装置上で転送した機能表示画面と同一の表示内容を再現し、続きの表示・操作を独立して容易に実施することができる。
【０１１４】
また、表示・操作終了時には、不要となった情報を消去することにより、別の機能表示画面の表示・操作や他の作業に必要なハード環境を容易に確保することができる。例えば、可搬型表示装置に画面制御情報や表示データを一切持たせず、全ての機能表示画面の表示を転送元からの特定画面全情報の転送により行うようにすれば、可搬型表示装置を、多様なプラントで使用可能な汎用型の表示装置として活用することができる。
【０１１５】
したがって、本実施形態によれば、プラントの現場で使用する可搬型表示装置に、固定型の表示装置と同等の動作を行わせながら、ハード容量を最小限にすることができる。このことはまた、低コストで入手可能な各種の可搬型表示装置の利用を可能とし、プラント監視用表示システム全体のコストの低減にもつながる。
【０１１６】
なお、第１の実施形態において説明したように、表示装置の伝送手段１２０間の伝送方式としては、基本的にシステム内の有線接続による高速データ伝送が行われるが、可搬型表示装置と転送元の表示装置との間の伝送方式として、無線接続を適用することにより、可搬型表示装置の優位性をさらに向上させることができる。
【０１１７】
［第６の実施形態］
図９は、本発明を適用した第６の実施形態に係るプラント監視用表示システムを示すブロック図である。この図９に示すように、本実施形態においては、第１の実施形態における第１の表示装置Ａの抽出手段１１０に、機能表示画面の表示内容情報を転送する際の送信記録を転送履歴データ９００として保存する機能を持たせる。
【０１１８】
以上のような構成を有する本実施形態において、第１の表示装置Ａ上に表示された機能表示画面１０１の表示内容を示す表示内容情報２００が抽出手段１１０により抽出され、伝送手段１２０により第２の表示装置Ｂに転送される際には、抽出手段１０１は、その表示内容情報２００を転送する際の送信記録を転送履歴データ９００として保存する。
【０１１９】
このように、本実施形態によれば、機能表示画面の表示内容情報２００を転送する際の送信記録を転送履歴データ９００として保存することにより、転送した表示内容情報２００の履歴管理を行うことができる。したがって、人間系で何ら特別な調査を行う必要なしに、保存した転送履歴データ９００を利用して、機能表示画面の表示内容情報の転送先・引継先の表示装置がどの表示装置であるかを容易に追跡することができる。例えば、ある機能表示画面が複数の表示装置間で順次転送された際に、その流れを転送履歴データ９００から容易に追跡することができる。また、蓄積された転送履歴データ９００は、作業記録の編集等の際にも有効に活用可能である。
【０１２０】
［第７の実施形態］
図１０は、本発明を適用した第７の実施形態に係るプラント監視用表示システムを示すブロック図である。この図１０に示すように、本実施形態においては、第１の実施形態における第２の表示装置Ｂの再現手段１３０に、第１の表示装置Ａから転送された表示内容情報２００による機能表示画面の表示・操作状況を示すモニタデータ１０００を生成し、伝送手段１２０を通じて返信する機能を持たせると共に、第１の表示装置Ａの抽出手段１１０に、第２の表示装置Ｂからのモニタデータ１０００を保存する機能を持たせる。
【０１２１】
なお、モニタデータ１０００としては、例えば、対象となる機能表示画面の終了を示す終了信号が考えられるが、さらに、機能表示画面の操作途中で所定時間毎、あるいは、操作状態が変化する毎に、その時点での表示・操作状況を示す信号を送信してもよい。また、機能表示画面が終了するまでの間、表示・操作状況を示す信号を連続的に送信することも考えられる。
【０１２２】
以上のような構成を有する本実施形態において、第１の表示装置Ａ上に表示された機能表示画面１０１の表示内容を示す表示内容情報２００が、第２の表示装置Ｂ側で受信されると、第２の表示装置Ｂの再現手段１３０は、その表示内容情報２００により第１の表示装置Ａと同じ表示内容の機能表示画面１０１を再現表示してその続きの表示・操作を行うと共に、機能表示画面１０１の表示・操作状況を示すモニタデータ１０００を返信する。第１の表示装置Ａの抽出手段１１０は、転送先である第２の表示装置Ｂから返信されたモニタデータ１０００を保存する。
【０１２３】
このように、本実施形態によれば、転送元の表示装置上で、転送先の表示装置上における機能表示画面の表示内容の変化を容易に監視することができる。すなわち、転送元の表示装置上で、転送した表示内容情報による機能表示画面の表示内容が転送先の表示装置で表示・操作されているか、終了しているかを容易に確認することができる。
【０１２４】
したがって、本実施形態によれば、オペレータは、機能表示画面に対する作業を自身の表示装置から別の表示装置に申し送りした場合に、申し送りした作業項目の進捗状況を、自身の表示装置上で容易に確認することができる。さらに、本実施形態を、前述した第２〜第６の実施形態と組み合わせた場合には、次のような効果が得られる。
【０１２５】
例えば、第４の実施形態のように、申し送り事項等の説明情報を付加する等により作業途中で申し送りした機能表示画面については、申し送り事項が的確に伝わり、確実に作業が進められているか否かについて、容易に確認することができる。また、第３の実施形態のように、本来は操作権限のない表示装置に対して操作権限情報を付加する等により申し送りした機能表示画面については、特別に権限委譲したものであるため、作業が確実に実施されているか否かは非常に重要な情報となる。この場合に、本実施形態によれば、転送先のオペレータに確認することなく、自身の表示装置上でその機能表示画面の表示・操作状況（完了、未完了等）を容易に確認することができる。
【０１２６】
なお、モニタデータの具体的な内容は、前述の通り、適宜選択可能であるが、モニタデータとして、終了信号を使用した場合には、表示装置間の通信を簡略化し、データ伝送量を少なくすることができる。これに対して、機能表示画面が終了するまでの間、表示・操作状況を示す信号を連続的に送信するようにした場合には、転送元のオペレータは、転送先の機能表示画面の表示・操作状況をリアルタイムで把握することができ、監視内容の充実を図ることができる。
【０１２７】
［第８の実施形態］
図１１は、本発明を適用した第８の実施形態に係るプラント監視用表示システムを示すブロック図である。この図１１に示すように、本実施形態においては、第２の表示装置Ｂ側の再現手段１３０に、第１の表示装置Ａ上に表示されている各機能表示画面をそれぞれ縮小して示すサムネイル１１００を表示する機能と、サムネイル１１００が選択された場合に、その選択されたサムネイル１１００により示される実際の機能表示画面の表示内容情報２００を要求する転送要求１１１０を生成し、伝送手段１２０を通じて送信する機能を持たせる。また、第１の表示装置Ａの抽出手段１１０には、第２の表示装置Ｂからの転送要求１１１０に応じて、実際の機能表示画面の表示内容情報２００を転送する機能を持たせる。
【０１２８】
以上のような構成を有する本実施形態において、第２の表示装置Ｂの再現手段１３０は、第１の表示装置Ａから、表示されている機能表示画面を示す信号を取得して、第１の表示装置Ａ上に表示されている各機能表示画面をそれぞれ示すサムネイル１１００を表示する。このように、第２の表示装置Ｂ上に、第１の表示装置Ａで表示・操作中の各機能表示画面を個別に示すサムネイル１１００を表示することにより、第２の表示装置Ｂ側のオペレータは、サムネイル１１００を選択するだけで、第１の表示装置Ａ上で表示・操作している任意の機能表示画面を要求し、自身の表示装置上でモニタ表示することができる。
【０１２９】
例えば、第２の表示装置Ｂ側のオペレータが管理者である場合、その管理者は、第１の表示装置Ａがどのような機能表示画面を表示・操作中であるかをサムネイル１１００にて確認した上で、モニタ表示すべき機能表示画面１０１のサムネイル１１００を選択することにより、機能表示画面１０１の表示内容情報２００を受信して、機能表示画面１０１を自身の表示装置上でモニタ表示することができる。
【０１３０】
この場合、第１の表示装置Ａ上の機能表示画面１０１をモニタ表示するだけであれば、表示内容情報２００として、機能表示画面１０１の表示内容を再現するために必要な情報のみを転送すれば十分であるため、前述したような非表示情報２００３等の操作用の情報が不要となり、転送する表示内容情報のデータ量は少なくて済む。
【０１３１】
さらに、複数の表示装置を管理する場合には、それらの管理対象となる表示装置の全てについて、表示・操作中のサムネイルを表示することにより、任意の表示装置における任意の機能表示画面をモニタ表示することができ、複数の表示装置を効率よく管理することができる。
【０１３２】
また、表示内容情報２００として、第１の実施形態において使用したような、非表示情報２００３を含む表示内容情報Ｄ１を取得することにより、自身の表示装置上にモニタ対象の表示装置上と同様の作業環境を再現することができるため、モニタ表示した機能表示画面に対する作業を引き継いだり、同じ機能表示画面に対する複数の作業項目を同時並行的に行うこと等も可能である。例えば、緊急対応等で、同一の機能表示画面に対して複数の作業項目を短時間で実行する必要がある場合等には、別の表示装置上で作業中の機能表示画面を呼び込み、その機能表示画面に対して必要な作業項目を元の表示装置と同時並行的に実施することができる。
【０１３３】
このように、本実施の形態によれば、複数の表示装置において、同一の機能表示画面に対する作業を同時並行的に実施できるため、機能表示画面に対する作業を効率よく分担して作業全体に要する作業時間を短縮することができる。
【０１３４】
なお、本実施形態の変形例としては、機能表示画面を個別に選択するだけでなく、対象となる表示装置を示すサムネイルの選択により、選択された表示装置上において表示・操作中の複数の機能表示画面を含む全画面の表示内容情報を要求することも考えられる。例えば、前述した第２の実施形態における、全画面の表示内容を示す表示内容情報Ｄ３を用いることにより、対象となる表示装置を選択するだけで、その表示装置における全画面の表示内容をそのままの表示状態で一括的にモニタ表示することができる。
【０１３５】
また、別の表示装置上において表示されている機能表示画面を示す画像要素としては、サムネイル以外にも、各種のアイコンやシンボルマーク、文字表示等を含め、各種の形式の画像要素を単独または適宜組み合わせて自由に使用可能である。
【０１３６】
［第９の実施形態］
図１２は、本発明を適用した第９の実施形態に係るプラント監視用表示システムを示すブロック図である。この図１２に示すように、本実施形態は、前述した第８の実施形態の変形例であり、第２の表示装置Ｂ側の再現手段１３０により、サムネイルとして、第１の表示装置Ａ上における全画面１００の表示状態を簡略化して具体的に示すサムネイル１２００を表示し、第１の表示装置Ａ上における全画面１００の表示状態の変化に応じて、全画面１００の表示状態を示すサムネイル１２００をリアルタイムに更新するようにしたものである。
【０１３７】
以上のような構成を有する本実施形態において、第２の表示装置Ｂの再現手段１３０は、第１の表示装置Ａから、表示部３０上における全画面１００中の表示状態の概略、すなわち、表示されている各機能表示画面と画面間の表示位置関係などを含めた表示状態の概略を示す信号を取得して、第１の表示装置Ａ上に表示されている全画面１００の表示状態を簡略化して具体的に示すサムネイル１２００を表示する。そして、第１の表示装置Ａ上における全画面１００中の表示状態の変化、すなわち、機能表示画面の終了や新たな機能表示画面の表示、表示位置関係の変化、等に伴い、第２の表示装置Ｂの再現手段１３０は、その変化を反映させるようにしてサムネイル１２００をリアルタイムに更新する。
【０１３８】
このように、モニタ対象である第１の表示装置Ａ上における実際の表示状態の変化に伴い、その表示状態を第２の表示装置Ｂ上で概略表示するサムネイル１２００がリアルタイムに更新されるため、第２の表示装置Ｂ側のオペレータは、サムネイル１２００の選択によって実際の機能表示画面をモニタ表示する前に、サムネイル１２００から、第１の表示装置Ａ上における表示状態の概略をリアルタイムで容易に把握することができる。
【０１３９】
例えば、第１の表示装置Ａ上で複数の機能表示画面が表示されている場合でも、その表示状態の概略を具体的に示すサムネイル１２００自体がリアルタイムに更新されれば、第２の表示装置Ｂ側のオペレータは、そのサムネイル１２００により示される画面の表示位置関係等から、各機能表示画面が、実際に操作されている画面であるか、表示のみの画面であるか、等を容易に把握することができる。したがって、第２の表示装置Ｂ側のオペレータは、モニタ対象である第１の表示装置Ａ上における表示状態が時間経過により大きく変化している場合であっても、その表示状態の概略をリアルタイムに把握して、状況に応じた機能表示画面を的確に要求し、モニタ表示することができる。
【０１４０】
なお、本実施形態の変形例として、サムネイルにより、別の表示装置の全画面を簡略化してそのまま図形的に表示する以外に、全画面中で表示されている各機能表示画面を示す名称や識別番号等の画面ＩＤを表示位置関係に対応付けてリスト表示すること等も可能である。この場合には、サムネイルの表示スペースを小さくでき、監視側の表示装置上における画面配置が容易となる。
【０１４１】
［第１０の実施形態］
図１３は、本発明を適用した第１０の実施形態に係るプラント監視用表示システムを示すブロック図である。この図１３に示すように、本実施形態は、前述した第５の実施形態に係るプラント監視用表示システムの構成に加えて、可搬型表示装置７００にデータ読み取り用のリーダ１３００を設け、現場で読み取ったデータにより転送要求１３１０を生成し、第１の表示装置Ａ側に特定の機能表示画面の表示・操作に必要な「特定画面用全情報」を要求できるようにしたものである。
【０１４２】
すなわち、本実施形態の可搬型表示装置７００は、リーダ１３００により、現場の操作端１３０１の操作端情報を示すバーコード等の特定の操作端データ１３０２を読み取り、読み取った操作端データ１３０２を用いて、再現手段１３０により、その操作端１３０１での作業に使用する機能表示画面１０１の表示・操作に必要な「特定画面用全情報」の転送要求１３１０を生成するように構成されている。
【０１４３】
以上のような構成を有する本実施形態において、各現場の操作端１３０１で作業を行うオペレータは、その操作端１３０１の操作端データ１３０２を、可搬型表示装置７００のリーダ１３００により読み取るだけで、再現手段１３０により転送要求１３１０を自動的に生成させ、生成された転送要求１３１０により、第１の表示装置Ａに対して「特定画面用全情報」を要求することができる。第１の表示装置Ａの抽出手段１１０は、可搬型表示装置７００からの転送要求１３１０に応答して、その転送要求１３１０により指定される特定画面用全情報８００を抽出し、伝送手段１２０により可搬型表示装置７００に転送する。
【０１４４】
可搬型表示装置７００側において、このような特定画面用全情報８００を受信すると、前述した第５の実施形態と同様に、可搬型表示装置７００上に機能表示画面１０１が再現表示され、可搬型表示装置７００のオペレータは、一時的に保存された画面制御情報８０１や表示データ８０２を用いて、機能表示画面１０１の表示・操作を行うことができる。作業を終了した時点で不要となった画面制御情報８０１や表示データ８０２は、オペレータの確認を得た上で消去される。
【０１４５】
したがって、現場毎に異なる操作端１３０１に、バーコード等の個別の操作端データ１３０２をそれぞれ用意しておくことにより、各操作端で作業を行うオペレータは、ハード制限のある可搬型表示装置７００を使用し、個々の操作端の操作端データを読み込ませるだけで、必要な特定画面用全情報８００を取得し、操作端１３０１に応じた機能表示画面１０１に対する作業を実施することができる。また、作業の終了時には不要となった情報を消去することにより、別の機能表示画面の表示・操作や他の作業に必要なハード環境を容易に確保することができる。その結果、現場毎に異なる作業に対して、同一の可搬型表示装置７００を汎用型の表示装置として活用することができる。
【０１４６】
なお、現場に用意する特定の情報の形式は、バーコードに限定されるものではなく、それ以外にも、例えば、コード番号やブルートゥース等、各種の形式の情報を自由に活用可能である。
【０１４７】
［第１１の実施形態］
図１４は、本発明を適用した第１１の実施形態に係るプラント監視用表示システムを示すブロック図である。この図１４に示すように、本実施形態においては、第１の実施形態における第１の表示装置Ａの抽出手段１１０に、自装置の機能表示画面の表示内容を連続的に示す連続表示内容情報１４００を連続的に抽出する機能と、連続表示内容情報１４００による機能表示画面の連続的な表示を要求する表示要求１４１０を生成する機能を持たせる。そして、第１の表示装置Ａの伝送手段１２０には、連続表示内容情報１４００を第２の表示装置Ｂに連続的に転送する機能と、表示要求１４１０を送信する機能を持たせる。
【０１４８】
以上のような構成を有する本実施形態によれば、第１の表示装置Ａ側のオペレータは、第１の表示装置Ａ上で表示している機能表示画面１０１を第２の表示装置Ａに連動表示させる旨を指示することにより、第２の表示装置Ｂに表示要求１４１０を送信し、連続表示内容情報１４００を連続的に転送することができる。その結果、第１の表示装置Ａ上における機能表示画面１０１の表示内容を、第２の表示装置Ｂ上でリアルタイムに連動表示させることができる。
【０１４９】
したがって、あるオペレータが作業中の機能表示画面の連続表示内容情報を共通モニタ等に転送することにより、そのオペレータの作業状況を、関係者がリアルタイムに共通モニタ等で確認でき、情報を共有化することができる。さらに、複数の表示装置上でそれぞれ作業を行っている複数のオペレータの各々が、その連続表示内容情報を共通モニタ等に転送することにより、その共通モニタ等で、複数のオペレータの作業状況をまとめて確認できる。
【０１５０】
［第１２の実施形態］
図１５は、本発明を適用した第１２の実施形態に係るプラント監視用表示システムを示すブロック図である。この図１５に示すように、本実施形態は、第１１の実施形態とは逆に、連続表示内容情報１４００の転送先である第２の表示装置Ｂ側から転送元である第１の表示装置Ａに対して連続表示内容情報１４００の転送を要求する転送要求１５１０を送信するようにしたものである。すなわち、本実施形態においては、第１の表示装置Ａの抽出手段１１０に、表示要求１４１０を生成する機能を持たせるのではなく、第２の表示装置Ｂの再現手段１３０に、転送要求１５１０を生成する機能を持たせる。
【０１５１】
以上のような構成を有する本実施形態によれば、第２の表示装置Ｂ側のオペレータは、第１の表示装置Ａ上で表示している機能表示画面１０１を自装置上で連動表示させる旨を指示することにより、第１の表示装置Ｂに転送要求１５１０を送信し、第１の表示装置Ａからの連続表示内容情報１４００を連続的に受信することができる。その結果、第１の表示装置Ａ上における機能表示画面１０１の表示内容を第２の表示装置Ｂ上でリアルタイムに連動表示させることができる。
【０１５２】
したがって、ある表示装置のオペレータが、別の表示装置で表示中の機能表示画面の連続表示内容情報を要求することにより、その別の表示装置で表示中の機能表示画面を自身の表示装置上でリアルタイムに確認することができる。例えば、統括責任者等が管理する複数のオペレータに対して転送を要求することにより、複数のオペレータからの連続表示内容情報を同時並行的に取得できるため、統括責任者等は、その複数のオペレータの作業状況をまとめて監視することができる。
【０１５３】
［第１３の実施形態］
図１６は、本発明を適用した第１３の実施形態に係るプラント監視用表示システムを示すブロック図である。この図１６に示すように、本実施形態は、第１１の実施形態の変形例であり、第１の表示装置Ａの抽出手段１１０と第２の表示装置Ｂの再現手段１３０に対して、連動表示中の機能表示画面中に連動表示中であることを示す「連動状態表示」１６００を表示する機能を持たせたものである。
【０１５４】
以上のような構成を有する本実施形態によれば、第１の表示装置Ａ上で作業中の機能表示画面１０１を、第２の表示装置Ｂ上で連動表示している場合には、図１６に示すように、各表示装置Ａ，Ｂ中の各機能表示画面１０１中で連動状態表示１６００を表示する。図１６の連動状態表示１６００においては、一例として、「操作主体側の装置名」である「装置Ａ」を太字と大括弧で強調表示し、「モニタ表示側の装置名」である「装置Ｂ」を併せて表示している。
【０１５５】
このように、本実施形態によれば、連動表示中の各表示装置Ａ，Ｂ上で、「操作主体側の装置名」「モニタ表示側の装置名」を含む連動状態表示１６００を表示することにより、各表示装置Ａ，Ｂのオペレータは、現在表示している機能表示画面１０１が、別の表示装置と連動した連動表示であるのかそれ以外の単独表示であるのかを容易に把握することができる。
【０１５６】
すなわち、機能表示画面１０１中に連動状態表示１６００が表示されていれば、連動表示であると判断でき、表示されていなければ、単独表示であると判断することができる。そして、連動表示である場合には、連動状態表示１６００に含まれる「操作主体側の装置名」「モニタ表示側の装置名」から、自身の表示装置が操作主体側とモニタ表示側のいずれであるのか、を容易に把握することができる。したがって、自装置がモニタ表示側である場合には、操作主体側の装置名を連動状態表示１６００から容易に確認できるため、モニタ表示側のオペレータや管理者等は、連動表示内容を確認しながら操作主体側のオペレータに対してその作業内容に関する指示等を容易に実施することができる。
【０１５７】
なお、連動状態表示としては、典型的には、本実施形態のように、操作主体側の装置名とモニタ表示側の装置名をそれぞれ文字表示することが考えられるが、これ以外にも、連動表示中の操作主体側とモニタ表示側の装置を明確に識別できる限り、文字だけでなく、アイコンやシンボルマーク等を含め、各種の形式の画像要素を単独または適宜組み合わせて自由に使用可能である。
【０１５８】
［第１４の実施形態］
図１７は、本発明を適用した第１４の実施形態に係るプラント監視用表示システムを示すブロック図である。この図１７に示すように、本実施形態は、第１１の実施形態の変形例であり、第１の表示装置Ａの抽出手段１１０と第２の表示装置Ｂの再現手段１３０に対して、連動表示中の各表示装置の機能表示画面上にそれぞれメッセージ入出力用のメッセージ画面１７００を表示する機能を持たせたものである。このメッセージ画面１７００に対してオペレータから入力されたメッセージ１７１０を抽出し、各メッセージ画面１７００中に表示する機能を持たせたものである。
【０１５９】
以上のような構成を有する本実施形態によれば、機能表示画面１０１を連動表示している各表示装置Ａ，Ｂのオペレータは、機能表示画面１０１のサブ画面であるメッセージ画面１７００上で、別のオペレータに対するコメントやメッセージを入力することにより、表示装置間におけるコメントやメッセージのやり取りを機能表示画面１０１の表示・操作と同時並行的に容易に行うことができる。例えば、連動表示中の機能表示画面１０１中における一部分の表示内容に関する指示や説明、質問等を、当該部分を明示して記入したり、それに対する応答等をリアルタイムで返すこと等ができる。また、例えば、統括責任者等が各オペレータの作業状況に対して、指示やコメントをリアルタイムで与えること等も可能である。
【０１６０】
したがって、本実施形態によれば、連動表示している複数の表示装置が位置的に離れていても、それらの表示装置のオペレータ間において、同じ場所で同じ機能表示画面を確認しながら対話しているのと同様の高度な意思疎通を行うことができ、的確な作業を効率よく行うことができる。
【０１６１】
［他の実施形態］
なお、本発明は、上記のような各実施形態に限定されるものではなく、本発明の範囲内で、他にも多種多様な形態が実施可能である。例えば、前記複数の実施形態を適宜組み合わせることも可能である。また、前記各実施形態においては、説明の簡略化の観点から、転送元となる第１の表示装置と転送先である第２の表示装置の構成を区別したが、実際には、多くの表示装置が転送元と転送先の両方になりうるものと考えられるため、そのような表示装置には、第１の表示装置と第２の表示装置の両方の機能を持たせることになる。
【０１６２】
また、表示内容情報として示したデータ構造等についても、一例にすぎず、実際に使用する具体的なデータ構造は自由に選択可能であり、また、必要に応じて、各種のデータを含ませることができる。逆に、転送先でモニタ表示のみを行わせる場合には、転送先で機能表示画面を操作するための非表示情報等を省略して、データ量を少なくすることができる。転送先でモニタ表示のみを行わせる場合にはさらに、表示内容情報として、実際の画面表示を簡略化したデータ量の少ない画像データのみを転送すること等も可能である。
【０１６３】
【発明の効果】
以上説明したように、本発明によれば、第１の表示装置上における表示内容を示す情報を第２の表示装置に転送して第２の表示装置上でその情報による表示内容を表示することにより、ある表示装置上で表示・操作された結果としての表示内容を、他の表示装置に転送してその転送先で同じ表示内容を容易に再現することの可能なプラント監視用表示システムを提供することができる。
【０１６４】
また、表示内容を示す情報として、機能表示画面の表示・操作時に利用または取得された非表示の各種データを示す情報を含めることにより、表示内容だけでなく作業環境をも再現することができるため、ある表示装置上で表示・操作された結果としての表示内容を、他の表示装置に転送してその転送先で続きの表示・操作を容易に行うことの可能なプラント監視用表示システムを提供することができる。
【０１６５】
また、第１の表示装置上における表示内容を示す情報を連続的に抽出、転送して第２の表示装置上でその情報による表示内容を連続的にモニタ表示することにより、複数の表示装置間で表示内容情報を同時に共有することの可能なプラント監視用表示システムを提供することができる。
【図面の簡単な説明】
【図１】本発明を適用した第１の実施形態に係るプラント監視用表示システムを示すブロック図。
【図２】本発明を適用した第１の実施形態で使用する表示内容情報のデータ構造の一例を示すデータ構造図。
【図３】本発明を適用した第２の実施形態で使用する表示内容情報のデータ構造の一例を示すデータ構造図。
【図４】本発明を適用した第２の実施形態で使用する表示内容情報のデータ構造の一例を示すデータ構造図。
【図５】本発明を適用した第３の実施形態で使用する表示内容情報のデータ構造の一例を示すデータ構造図。
【図６】本発明を適用した第４の実施形態で使用する表示内容情報のデータ構造の一例を示すデータ構造図。
【図７】本発明を適用した第５の実施形態に係るプラント監視用表示システムを示すブロック図。
【図８】本発明を適用した第５の実施形態で使用する特定画面用全情報のデータ構造の一例を示すデータ構造図。
【図９】本発明を適用した第６の実施形態に係るプラント監視用表示システムを示すブロック図。
【図１０】本発明を適用した第７の実施形態に係るプラント監視用表示システムを示すブロック図。
【図１１】本発明を適用した第８の実施形態に係るプラント監視用表示システムを示すブロック図。
【図１２】本発明を適用した第９の実施形態に係るプラント監視用表示システムを示すブロック図。
【図１３】本発明を適用した第１０の実施形態に係るプラント監視用表示システムを示すブロック図。
【図１４】本発明を適用した第１１の実施形態に係るプラント監視用表示システムを示すブロック図。
【図１５】本発明を適用した第１２の実施形態に係るプラント監視用表示システムを示すブロック図。
【図１６】本発明を適用した第１３の実施形態に係るプラント監視用表示システムを示すブロック図。
【図１７】本発明を適用した第１４の実施形態に係るプラント監視用表示システムを示すブロック図。
【図１８】複数の表示装置を備えた従来のプラント監視用表示システムの一例を示すブロック図。
【符号の説明】
Ａ，Ｂ…表示装置
１…プラント情報
２，７０２，８０２…表示データ
３，７０１，８０１…画面制御情報
１０…データ記録手段
２０…データ処理手段
３０…表示部
４０…入力部
１００…全画面
１０１〜１０３…機能表示画面
１１０…抽出手段
１２０…伝送手段
１３０…再現手段
２００，Ｄ１〜Ｄ５…表示内容情報
２０１〜２０３…画面表示内容情報
２０２…転送情報
２０３，１４１０…表示要求
２００１…画面種別
２００２…表示内容詳細情報
２００３…非表示情報
４０１…全画面状態情報
７００…可搬型表示装置
９００…転送履歴データ
１０００…モニタデータ
１１００，１２００…サムネイル
１１１０，１３１０，１５１０…転送要求
１３００…リーダ
１３０１…操作端
１３０２…操作端データ
１４００…連続表示内容情報
１６００…連動状態表示
１７００…メッセージ画面
１７１０…メッセージ
【図１】
2004280508.tif 000003
【図２】
2004280508.tif 000004
【図３】
2004280508.tif 000005
【図４】
2004280508.tif 000006
【図５】
2004280508.tif 000007
【図６】
2004280508.tif 000008
【図７】
2004280508.tif 000009
【図８】
2004280508.tif 000010
【図９】
2004280508.tif 000011
【図１０】
2004280508.tif 000012
【図１１】
2004280508.tif 000013
【図１２】
2004280508.tif 000014
【図１３】
2004280508.tif 000015
【図１４】
2004280508.tif 000016
【図１５】
2004280508.tif 000017
【図１６】
2004280508.tif 000018
【図１７】
2004280508.tif 000019
【図１８】
2004280508.tif 000020